(57)【要約】【課題】状況に応じて容易に配置の切り替えが可能な物品収納庫用の棚板を実現できるようにする。【解決手段】物品収納庫用棚板は、第１の板体１０１と第２の板体１０２とを備えている。第１の板体１０１と第２の板体１０２とは、固定端１１１において互いに固定されている。第２の板体１０２は、固定端１１１と反対側の自由端１１２が、第１の板体１０１と接する収納位置と、第１の板体１０１から離間した使用位置とをとることができる。【選択図】図２
2018051046.tif 000002
【特許請求の範囲】
【請求項１】
第１の板体と第２の板体とを備え、
前記第１の板体と前記第２の板体とは、固定端において互いに固定され、
前記第２の板体は、前記固定端と反対側の自由端が、前記第１の板体と接する収納位置と、前記第１の板体から離間した使用位置とをとることができる、物品収納庫用棚板。
【請求項２】
前記第１の板体は、前記第２の板体を下側にして、物品収納庫内に水平に保持される、請求項１に記載の物品収納庫用棚板。
【請求項３】
前記第２の板体における前記第１の板体側の面は、滑り止めの凸部を有し、
前記第１の板体における前記第２の板体側の面は、前記滑り止めの凸部と対応した凹部を有する、請求項１又は２に記載の物品収納庫用棚板。
【請求項４】
前記第１の板体は、前記第２の板体を上側にして、物品収納庫内に水平に保持される、請求項１に記載の物品収納庫用棚板。
【請求項５】
前記第１の板体及び前記第２の板体は、それぞれ互いに解除可能に係合し、前記自由端の移動を禁止するストッパ部を有している、請求項１〜４のいずれか１項に記載の物品収納庫用棚板。
【請求項６】
前記第２の板体は、互いに独立して前記収納位置と前記使用位置とをとることができる、複数の部分に分割されている、請求項１〜５のいずれか１項に記載の物品収納庫用棚板。
【請求項７】
前記第１の板体と前記第２の板体とは、一体に成形されている、請求項１〜６のいずれか１項に記載の物品収納庫用棚板。
【発明の詳細な説明】
【技術分野】
【０００１】
本開示は、物品収納庫用棚板に関する。
【背景技術】
【０００２】
履物を収納する収納庫は、一般に、複数の棚板が水平に配置されており、この棚板に履物を載置して収納する。一方、通常の履物は、つま先側が低く、かかと側が高くなっている。このため、水平の棚板に履物を載置して収納すると、履物のつま先側にはデッドスペースが発生し、収納効率が低下する。
【０００３】
履物の収納効率を向上させることを目的として、水平の棚板と、斜めの棚板とを組み合わせて、デッドスペースを縮小することが検討されている（例えば、特許文献１及び２を参照。）。
【先行技術文献】
【特許文献】
【０００４】
【特許文献１】実開平５−９３２７０号公報
【特許文献２】特開２０１１−２５４９５０号公報
【発明の概要】
【発明が解決しようとする課題】
【０００５】
しかしながら、履物には様々な高さの物があり、棚板を斜めに配置することができない場合もある。水平の棚板と斜めの棚板とが固定的に組み合わされている場合には、このような場合に対応することができないという問題がある。水平の棚板と斜めの棚板とが互いに独立している場合には、斜めの棚板を使用しないことにより対応できるが、使用しない斜めの棚板が邪魔になるという問題がある。また、棚板の配置の切り換えも面倒である。
【０００６】
このような問題は、履物を収納する収納庫に限らず、他の物品を収納する収納庫においても起こり得る。
【０００７】
本開示の課題は、状況に応じて容易に配置の切り替えが可能な物品収納庫用の棚板を実現できるようにすることである。
【課題を解決するための手段】
【０００８】
本開示の物品収納庫用棚板の一態様は、第１の板体と第２の板体とを備え、第１の板体と第２の板体とは、固定端において互いに固定され、第２の板体は、固定端と反対側の自由端が、第１の板体と接する収納位置と、第１の板体から離間した使用位置とをとることができる。
【０００９】
物品収納庫用棚板の一態様において、第１の板体は、第２の板体を下側にして、物品収納庫内に水平に保持されるようにできる。
【００１０】
この場合において、第２の板体における第１の板体側の面は、滑り止めの凸部を有し、第１の板体における第２の板体側の面は、滑り止めの凸部と対応した凹部を有していてもよい。
【００１１】
物品収納庫用棚板の一態様において、第１の板体は、第２の板体を上側にして、物品収納庫内に水平に保持されるようにもできる。
【００１２】
物品収納庫用棚板の一態様において、第１の板体及び第２の板体は、それぞれ互いに解除可能に係合し、自由端の移動を禁止するストッパ部を有していてもよい。
【００１３】
物品収納庫用棚板の一態様において、第２の板体は、互いに独立して収納位置と使用位置とをとることができる、複数の部分に分割されていてもよい。
【００１４】
物品収納庫用棚板の一態様において、第１の板体と第２の板体とは、一体に成形されていてもよい。
【発明の効果】
【００１５】
本開示の物品収納庫用棚板によれば、状況に応じて容易に配置の切り替えが可能となり、収納効率をさらに向上させることができる。
【図面の簡単な説明】
【００１６】
【図１】一実施形態に係る棚板において、第２の板体を収納位置とした状態を示す断面図である。
【図２】一実施形態に係る棚板において、第２の板体を使用位置とした状態を示す断面図である。
【図３】棚板の変形例を示す斜視図である。
【発明を実施するための形態】
【００１７】
図１に示すように、本実施形態の物品収納庫用棚板は、第１の板体１０１と第２の板体１０２とを備えている。第１の板体１０１と第２の板体１０２とは、固定端１１１において互いに固定されている。固定端１１１と反対側の自由端１１２は、図２に示すように、固定端１１１を支点として自由に回動可能であり、第２の板体１０２は、自由端１１２が第１の板体１０１と接する収納位置と、自由端１１２が第１の板体１０１から離間した使用位置とをとることができる。
【００１８】
収納する履物の数が少ない場合又は背の高い履物を収納する場合には、図１に示すように、第１の板体１０１を物品収納庫内に水平に保持し、第２の板体１０２を収納位置とする。このようにすれば、第１の板体１０１の上に履物１５０を載せて通常の棚板として使用することができる。なお、この場合の水平とは、履物の出し入れを容易にする等のために、僅かに傾斜させたような場合を含む。
【００１９】
一方、収納する履物の数を増やしたい場合には、図２に示すように、第２の板体１０２を使用位置とする。これにより、第１の板体１０１と第２の板体１０２との間に空間が生じ、第２の板体１０２の上に履物１５０を載せることができる。また、第２の板体１０２は斜めに配置されるため、第２の板体１０２と下側の棚板との間にも空間が生じ、下側の棚板の上にも履物１５０を載せることができる。下側の棚板も、本実施形態の棚板とすることができる。
【００２０】
本実施形態の棚板は、第２の板体１０２を使用しない場合及び履物の大きさ等により使用できない場合には、収容位置とすればよく、取り外しの手間や、取り外した板体の保管場所の確保等が不要である。また、デッドスペースを活用したい場合には、第２の板体１０２の自由端１１１を移動させて使用位置にすればよく、容易に配置の切り替えができる。
【００２１】
第２の板体１０２の第１の板体１０１側の面には、滑り止めの凸部１２１を設けることができる。滑り止めの凸部１２１を設けることにより、使用位置とした第２の板体１０２の上に載せた履物を滑り落ちにくくすることができる。第１の板体１０１の第２の板体１０２側の面には、滑り止めの凸部１２１と対応する位置に、凹部１２２を設けることができる。このようにすれば、第２の板体１０２を収納位置とした際に、棚板が厚くなることを防ぐことができる。
【００２２】
滑り止めの凸部１２１は、個々に独立した凸部とすることも、筋状に繋がった凸部とすることもできる。また、滑り止めの凸部１２１を設けるのではなく、表面の粗度を大きくしたり、表面に摩擦が大きいシート等を貼り付けたりすることもできる。滑り止めの凸部１２１を収容する凹部１２２は、個々の凸部に対応して設けることができるが、複数の凸部を収容する大きな凹部を設けることもできる。なお、第１の板体１０１の第２の板体１０２と反対側の面にも滑り止めが設けられた構成とすることができる。
【００２３】
第１の板体１０１及び第２の板体１０２は、それぞれ互いに解除可能に係合するストッパ部１２３を有している。本実施形態において、ストッパ部１２３は、第１の板体１０１の自由端側に設けられた凹部１２３Ａと、第２の板体１０２に設けられ、凹部１２３Ａと嵌合する凸部１２３Ｂとにより構成されている。凸部１２３Ｂを凹部１２３Ａと嵌合させることにより、第２の板体１０２を収納位置に保持することができる。第２の板体１０２の設けられた凸部１２３Ｂは、滑り止めとしての機能も有する。但し、第１の板体１０１側に凸部を設け、第２の板体１０２側に凹部を設けることもできる。また、互いに嵌合する凸部と凹部とに限らず、互いに解除可能に係合し、自由端の移動を禁止できれば他の構成とすることもできる。
【００２４】
第２の板体１０２を使用位置とした場合に、第２の板体１０２を支えるような機構を物品収納庫の側に設けることができる。例えば、物品収納庫の側板に設けられたダボにより第２の板体１０２を支えるようにできる。この場合、第２の板体１０２の下面にダボがはまる窪みを設けることができる。また、第２の板体１０２側に突起を設け、物品収納庫の側板に突起を受ける凹部を設けることもできる。支える位置は特に限定されないが、自由端１１２に近い位置とすることが好ましい。但し、第２の板体１０２の中央部付近や、固定端１１１に近い位置とすることもできる。
【００２５】
使用位置とした第２の板体１０２を支える機構を、物品収納庫の側に設けるのではなく他の構成とすることもできる。例えば、下側の棚板が使用位置とした第２の板体１０２を支えるような構成とすることができる。また、第１の板体１０１と第２の板体１０２との間をひも又はチェーン等により接続することにより使用位置とした第２の板体１０２を支えるような構成とすることもできる。さらに、固定端１１１側に所定の角度以上に第２の板体１０２が開かないようにする機構を設けることもできる。
【００２６】
また、使用位置とした第２の板体１０２を支える機構により、使用位置とした際の第１の板体１０１と第２の板体１０２とがなす角を調整できるようにしてもよい。このようにすれば、空間の大きさ又は履物の大きさ等に応じて第２の板体１０２の使用位置を変えることが可能となり、収納効率をより向上させることができる。
【００２７】
第２の板体１０２が第１の板体１０１の下側になるように配置し、第１の板体１０１の下側の空間を使用位置とした第２の板体１０２により利用する例を示したが、第２の板体１０２が第１の板体１０１の上側になるように配置し、第１の板体１０１の上側の空間を使用位置とした第２の板体１０２により利用する構成とすることもできる。この場合、第２の板体１０２の第１の板体１０１と反対側の面に滑り止めの凸部を設けることができる。また、第１の板体１０１の第２の板体１０２側の面にも滑り止めの凸部を設け、第２の板体１０２の第１の板体１０１側の面に滑り止めの凸部を収容する凹部を設けることができる。
【００２８】
第２の板体１０２を第１の板体１０１の上側に配置する場合にも、物品収納庫の側に使用位置とした第２の板体１０２を支える機構を設けることができる。また、上側の棚板に、使用位置とした第２の板体１０２を支える機構を設けることもできる。例えば、互いに係合するフック等により第２の板体１０２を支えるようにすることができる。
【００２９】
本実施形態の棚板は、固定端が収納庫の奥側になり、自由端が収納庫の履物を出し入れする側になるように配置することができる。しかし、これに限らず収納庫の奥行き及び幅等に応じて、種々の方向に配置することができる。例えば、固定端及び自由端が収納庫の側面側になるように配置することができる。
【００３０】
第２の板体１０２は、図３に示すように、互いに独立して収納位置と使用位置とをとることができる、複数の部分に分割されている構成とすることもできる。このようにすれば必要な部分においてのみ第２の板体１０２を使用位置にすることができ、さらに収納効率を向上させることができる。図３において、第２の板体１０２を第１の部分１０２Ａと第２の部分１０２Ｂとに分割しているが、３つ以上の部分に分割することもできる。第２の板体１０２を第１の板体１０１の上側に配置して、第１の板体１０１の上側の空間を利用する場合にも同様にすることができる。
【００３１】
本実施形態の棚板は、特に限定されないが、樹脂成形体とすることができる。樹脂成形体とすることにより、棚板を容易に製造することができる。樹脂成形体とする場合、第１の板体１０１と第２の板体１０２とを、固定端１１１であるヒンジ部を含めて一体成形により製造することができる。これにより、組み立て工程が不要となり、非常に容易に棚板を製造することが可能となる。但し、第１の板体１０１と第２の板体１０２とを別々に形成して、組み立てて棚板とすることもできる。この場合、第１の板体１０１と第２の板体１０２とは、互いに組み合わせることにより固定端１１１において接続された蝶番状となるようにすることができる。また、第１の板体１０１と第２の板体１０２とを別の部品を介して互いに組み合わせることにより固定端１１１において接続された蝶番状となるようにすることもできる。
【００３２】
樹脂材料は、特に限定されず一般的な樹脂成形品用の材料を用いることができる。中でもポリプロピレンは、第１の板体１０１と第２の板体１０２とを一体成形した場合にも、十分な強度が得やすく好ましい。
【００３３】
本実施形態の棚板は、軽量化のために中空構造とすることができる。また、強度が必要な場合には、中実構造とすることもできる。
【００３４】
棚板の、幅、奥行き及び厚さ等は、使用する収納庫の大きさ、履物の大きさ等に応じて自由に設定することができる。
【００３５】
物品収納庫が履物を収納する収納庫である例を説明したが、本実施形態の棚板は、履物以外の物品を収納する物品収納庫においても同様に使用することができる。
【産業上の利用可能性】
【００３６】
本開示の棚板は、状況に応じて容易に配置の切り替えが可能であり、履物等の物品を収納する物品収納庫用棚板として有用である。
【符号の説明】
【００３７】
１０１      第１の板体
１０２      第２の板体
１０２Ａ    第１の部分
１０２Ｂ    第２の部分
１１１      固定端
１１２      自由端
１２１      凸部
１２２      凹部
１２３      ストッパ部
１２３Ａ    凹部
１２３Ｂ    凸部
１５０      履物
【図１】
2018051046.tif 000003
【図２】
2018051046.tif 000004
【図３】
2018051046.tif 000005